(57)【要約】【課題】使用者の指定に応じた単色の色調に画像を変換すること。【解決手段】γカーブ最適化部１０３ｃは、使用者の指定に応じて色調決定部１０３ｂで決定される単色の色調に基づいて、画像にかけるγカーブを最適化する。そして、画像処理回路１０３ａは、γカーブ最適化部１０３ｃで最適化されたγカーブを用いて画像処理することによって、撮像した画像をセピアなどの単色の色調に変換する。【選択図】図１
2007251746.tif 000002
【特許請求の範囲】
【請求項１】
被写体を撮像して画像を出力する撮像手段と、
セピア調などの複数の単色色調の中からいずれかを選択する選択手段と、
前記撮像素子から出力され、記録媒体へ記録する前の画像データに対して、前記選択手段で選択された単色色調への変換を施す変換手段とを備えることを特徴とするカメラ。
【請求項２】
画像を記録媒体へ記録する記録制御手段と、
セピア調などの複数の単色色調の中からいずれかを選択する選択手段と、
前記記録媒体から読み込まれた画像データに対して、前記選択手段で選択された単色色調への変換を施す変換手段とを備えることを特徴とするカメラ。
【請求項３】
請求項１または２に記載のカメラにおいて、
前記選択手段は、あらかじめ設定された複数の色調の中から１つの色調を選択することを特徴とするカメラ。
【請求項４】
請求項１〜３のいずれか一項に記載のカメラにおいて、
前記選択手段は、色相および彩度の少なくとも一方で表示される選択用画像を表示し、前記選択用画像上での使用者の選択結果に基づいて、前記単色色調を選択することを特徴とするカメラ。
【請求項５】
請求項４に記載のカメラにおいて、
前記選択手段で選択された前記単色色調を登録する登録手段をさらに備えることを特徴とするカメラ。
【請求項６】
請求項３に記載のカメラにおいて、
前記単色色調に変換する対象画像と、前記選択用画像とを並べて表示する表示手段と、
前記選択用画像での使用者の選択結果を、前記対象画像にリアルタイムで反映する反映手段とをさらに備えることを特徴とするカメラ。
【請求項７】
セピア調などの複数の単色色調の中からいずれかを選択する選択処理と、
撮像素子から出力され、記録媒体へ記録する前の画像データに対して、前記選択処理で選択した単色色調への変換を施す変換処理とをコンピュータに実行させるための画像処理プログラム。
【請求項８】
セピア調などの複数の単色色調の中からいずれかを選択する選択処理と、
記録媒体から読み込まれた画像データに対して、前記選択処理で選択した単色色調への変換を施す変換処理とをコンピュータに実行させるための画像処理プログラム。
【発明の詳細な説明】
【技術分野】
【０００１】
本発明は、画像を撮像するカメラ、およびカメラで撮像した画像を画像処理するための画像処理プログラムに関する。
【背景技術】
【０００２】
次のようなデジタルカメラが特許文献１によって知られている。このデジタルカメラでは、カラーモードとしてセピアを選択することができ、セピアが選択された場合には、セピアは単色であり彩度の設定を行っても意味がないものとして、彩度の設定を禁止し、デジタルカメラ固有のセピアの色調で画像を撮影する。
【０００３】
【特許文献１】特開２００４−１６５８０２号公報
【発明の開示】
【発明が解決しようとする課題】
【０００４】
しかしながら、従来のデジタルカメラにおいては、一般的にセピアなどの単色で撮像する画像の色調はユーザの好みが千差万別であるにも関わらず、その設定をユーザが行うことができないため、ユーザが満足する色調の画像を撮影することができない可能性があるという問題が生じていた。
【課題を解決するための手段】
【０００５】
本発明は、セピア調などの複数の単色色調の中からいずれかを選択し、撮像素子から出力され、記録媒体へ記録する前の画像データに対して、選択した単色色調への変換を施すことを特徴とする。
本発明はまた、セピア調などの複数の単色色調の中からいずれかを選択し、記録媒体から読み込まれた画像データに対して、選択した単色色調への変換を施すことを特徴とする。
単色色調を選択するに当たっては、あらかじめ設定された複数の色調の中から１つの色調を選択してもよく、色相および彩度の少なくとも一方で表示される選択用画像を表示し、選択用画像上での使用者の選択結果に基づいて単色色調を選択してもよい。
また、選択された単色色調を登録することが好ましく、単色色調に変換する対象画像と選択用画像とを並べて表示し、選択用画像での使用者の選択結果を対象画像にリアルタイムで反映することが好ましい。
【発明の効果】
【０００６】
本発明によれば、単色色調を選択することができるため、ユーザが満足する色調の画像を撮像することができる。
【発明を実施するための最良の形態】
【０００７】
−第１の実施の形態−
図１は、第１の実施の形態におけるカメラの一実施の形態の構成を示すブロック図である。カメラ１００は、例えばデジタルカメラであり、入力スイッチ１０１と、撮像素子１０２と、制御装置１０３と、メモリカードスロット１０４と、モニタ１０５とを備えている。
【０００８】
入力スイッチ１０１は、使用者によって操作されるレリーズスイッチや操作スイッチなどを含む。撮像素子１０２は、例えばＣＣＤであり、使用者によって入力スイッチ１０１に含まれるレリーズボタンが押下されるごとに、レンズを通して入力される被写体像を撮像して、撮像した画像データを制御装置１０３へ出力する。
【０００９】
この撮像素子１０３においては、例えば、単板式カラー撮像素子の最も代表的なＲ（赤）、Ｇ（緑）、Ｂ（青）のカラーフィルタがＢａｙｅｒ配列されている。そして、レンズを通して撮像素子１０２で撮像される画像データはＲＧＢ表色系で示されるものとし、画像データを構成する各々の画素には、ＲＧＢのいずれか１つの色成分の色情報が存在しているものとする。すなわちＢａｙｅｒ画像であるものとする。
【００１０】
制御装置１０３は、画像処理回路１０３ａと、色調決定部１０３ｂと、γカーブ最適化部１０３ｃとを有している。そして、後述するように撮像素子１０２から入力された画像データを画像処理回路１０３ａで画像処理した後の画像データをメモリカードスロット１０４および／またはモニタ１０５へ出力する。
【００１１】
メモリカードスロット１０４には、記憶媒体としてのメモリカードが挿入され、制御装置１０３から出力された画像データはメモリカードスロット１０４を介してメモリカードに記憶される。なお、本実施の形態では、記録媒体としてメモリカードスロット１０４に挿入される記録媒体を使用する例について説明するが、カメラ１００が内蔵するメモリを記録媒体としてもよい。モニタ１０５は、例えばＬＣＤであり、制御装置１０３から出力される画像データを表示する。
【００１２】
本実施の形態におけるカメラ１００は、使用者によって画像撮影前にあらかじめ設定された色モードで画像を記録することができる。例えば使用者は、画像撮影前に入力スイッチ１０１を操作して、モニタ１０５に色モード選択メニューを表示して色モードを選択する。使用者は、色モード選択メニューでフルカラー、モノクロ、単色の色調（単色色調）のいずれかの色モードを選択して設定することができる。
【００１３】
単色の色調としては、セピア、クールといった一般的に名称が付けられている単色の色調を選択することができ、さらに使用者が好みでその他の単色の色調を選択して設定することもできる。そして、使用者は、色調として単色の色調を選択した場合には、さらにその画像をどのような風合いの単色の色調に変換するかを選択して設定することができる。例えば、色の濃さを３段階（濃く、標準、薄く）から選択可能としてもよい。なお、使用者は、好みの色調を、色相と彩度との組み合わせで選択することができる。
【００１４】
画像処理回路１０３ａは、後述するように、色調決定部１０３ｂで決定された単色の色調に基づいてγカーブ最適化部１０３ｃで最適化されたγカーブを用いて撮像素子１０２から入力される画像データに対して画像処理を施す。
【００１５】
図２は、画像処理回路１０３ａによる画像処理フローを示す図である。画像処理回路１０３ａにおいては、撮像素子１０２から入力された画像をＡ／Ｄ変換２ａでＡ／Ｄ変換した後、ホワイトバランス２ｂにてホワイトバランスの調整を行う。その後、補間２ｃにて公知の補間処理を行って、画像データを構成する各画素にＲ、Ｇ、Ｂの色成分の情報が全て存在するＲＧＢ形式の画像データに変換する。
【００１６】
γ２ｄにおいては、使用者によって設定された色調がフルカラーやモノクロである場合には、あらかじめ設定されているγカーブ（基本γ）を制御装置１０３が有するメモリ内から読み込んで、ＲＧＢ形式の画像データにかけてγ処理を行う。これに対して、使用者によって設定された色調がセピア、クール、またはその他の単色の色調である場合には、ＲＧＢ形式の画像データに対して後述するγカーブ最適化部１０３ｃで最適化されたγカーブをかけてγ処理を行う。
【００１７】
その後、ＭＴＸ２ｅでマトリックスをかけ、ＹＣｂＣｒ形式の画像データに変換する。そして、ＪＰＥＧ圧縮２ｆにおいて、ＹＣｂＣｒ形式の画像データを公知の手法にてＪＰＥＧ形式の画像ファイルに圧縮して、メモリカードスロット１０４へ出力する。これによって、ＪＰＥＧ形式の画像ファイルがメモリカードスロット１０４に挿入されたメモリカードに記録される。また、このとき同時にモニタ１０５にも画像データの出力を行うことで、画像処理回路１０３ａで画像処理した画像をモニタ１０５に表示することができる。
【００１８】
次に、色調決定部１０３ｂで単色の色調を決定する処理について説明する。色調決定部１０３ｂは、使用者によって単色の色調としてセピア、クール、その他のいずれかが選択されると、図３に示すような色相と彩度との組み合わせにより単色の色調を詳細に設定するための色調設定画面をモニタ１０５に表示する。使用者は、この色調設定画面上で単色の色調を設定することによって、設定内容をモニタ１０５で視覚的に確認しながら、単色の色調をどのような風合いに設定するかを決定することができる。
【００１９】
図３（ａ）は、使用者によって単色の色調としてセピアが選択された場合の色調設定画面（セピア詳細設定画面）の具体例を示す図である。このセピア詳細設定画面は、セピアに属する色範囲の色度図を抽出した画像であり、縦方向の変化が彩度の変化を表し、横方向の変化が色相の変化を表している。そして、現在の設定値が点で表示され、使用者は入力スイッチ１０１に含まれる方向指定スイッチ、例えば十字キーを操作して、好みの風合いとなる色調の位置に点を移動させることによって、セピアの色調を設定することができる。
【００２０】
図３（ａ）に示す例では、セピアの色調の初期値として、あらかじめ設定されたセピアのデフォルト色調３ａが設定されている。このデフォルト色調３ａは、カメラメーカによって異なるメーカデフォルト値であり、本実施の形態の色調設定機能を有しないカメラにおいては、このデフォルト色調３ａが自動的に設定され、固定の色調でセピア画像が出力される。使用者は、このデフォルト色調３ａをそのままセピアの色調として設定する場合には、そのまま入力スイッチ１０１を操作して決定操作を行う。これによって、色調決定部１０３ｂは、デフォルト色調３ａをセピアの色調として決定する。
【００２１】
一方、セピアの色調を使用者の好みで変更したい場合には、上述したように、使用者はセピア詳細設定画面上で実際の色調を確認しながら、十字キーを操作してデフォルト色３ａとは異なるセピアの色調を設定する。すなわち現在の設定値を示す点を横方向に移動させてセピアの色相を調整し、縦方向に移動させてセピアの彩度を調整する。そして、使用者は、現在の設定値を示す点を好みの色調３ｂに移動させた後、入力スイッチ１０１を操作してセピアの色調を決定する。これによって色調決定部１０３ｂは、使用者によって設定された色調３ｂをセピアの色調として決定する。
【００２２】
図３（ｂ）は、使用者によって単色の色調としてクールが選択された場合の色調設定画面（クール詳細設定画面）の具体例を示す図である。このクール詳細設定画面は、クールに属する色範囲の色度図を抽出した画像であり、縦方向の変化が彩度の変化を表し、横方向の変化が色相の変化を表している。なお、クール詳細設定画面を使用したクールの色調の設定方法については、上述したセピアの場合と同様のため説明を省略する。
【００２３】
図３（ｃ）は、使用者によって単色の色調としてその他が選択された場合の色調設定画面（その他詳細設定画面）の具体例を示す図である。その他詳細設定画面は、全ての単色の色範囲の色度図を表示した画像であり、縦方向の変化が彩度の変化を表し、横方向の変化が色相の変化を表している。すなわち、使用者は、その他詳細設定画面を使用して、上述したセピアやクールも含む全ての単色の色調を設定することができる。なお、その他詳細設定画面を使用したその他の単色の色調の設定方法については、上述したセピアの場合と同様のため説明を省略する。
【００２４】
色調決定部１０３ｂは、以上のように色調設定画面上で使用者によって設定された単色の色調を制御装置１０３が有するメモリに記憶して登録しておく。そして、この登録した設定値に基づいて、γカーブ最適化部１０３ｃは、決定された色調の画像を生成するために、画像処理回路１０３ａで実行されるγ処理で使用するγカーブを最適化する。具体的には次のように処理する。
【００２５】
まず、γカーブ最適化部１０３ｃは、図３（ａ）〜図３（ｃ）のいずれかの色調設定画面上で使用者によって指定された点（指定点）の位置に基づいて、使用者が単色の色調として設定した色を特定する。例えば、色調設定画面上の指定点の位置座標を特定することにより、色調設定画面に表示した色度図上で、使用者によってどの色が指定されたかを特定することができる。
【００２６】
図４は、セピア詳細設定画面上でセピアの色調が指定された場合に、その指定点の位置座標を特定して、使用者によって指定された色を特定する場合の具体例を示す図である。この図４に示す例では、上述した図３（ａ）で使用者によって設定された色調を示す点３ｂ（指定点３ｂ）のセピア詳細設定画面上での位置座標として（ｘ１，ｙ１）が特定されている。
【００２７】
γカーブ最適化部１０３ｃは、このように特定した色調設定画面上の指定点３ｂの位置座標に基づいて、ＲＧＢ形式の画像データの各色成分にかけるγ、すなわちＲ成分にかけるγＲ、Ｇ成分にかけるγＧ、Ｂ成分にかけるγＢを設定する。例えば、上述した基本γをγ０とした場合には、γＲ、γＧ、およびγＢを次式（１）〜（３）により算出する。
γＲ＝γ０×ＫＲ  ・・・（１）
γＧ＝γ０×ＫＧ  ・・・（２）
γＢ＝γ０×ＫＢ  ・・・（３）
【００２８】
なお、式（１）〜（３）において、ＫＲ、ＫＧ、およびＫＢは、各色成分にかけるγを設定するための係数であり、あらかじめ設定されたアルゴリズムに基づく関数ｆＲ、ｆＧ、ｆＢを使用して、それぞれ次式（４）〜（６）によって算出される。ここで、ａ、ｂ、ｃは、それぞれ使用者によってセピア詳細設定画面上で指定された指定点３ｂの位置（ｘ１，ｙ１）におけるＲ値、Ｇ値、Ｂ値に対応する。
ＫＲ＝ｆＲ（ａ，ｂ，ｃ）・・・（４）
ＫＧ＝ｆＧ（ａ，ｂ，ｃ）・・・（５）
ＫＢ＝ｆＢ（ａ，ｂ，ｃ）・・・（６）
【００２９】
γカーブ最適化部１０３ｃは、上述した式（１）〜（３）により算出されるγＲ、γＧ、およびγＢを最適化されたγカーブとして画像処理回路１０３ａへ出力し、画像処理回路１０３ａは、γ２ｄにおいて、この各色成分ごとに設定されたγカーブを使用してγ処理を行う。これによって使用者によって設定された色調の画像を生成して、メモリカードスロット１０４および／またはモニタ１０５へ出力することができる。
【００３０】
図５は、第１の実施の形態における色調決定部１０３ｂ、およびγカーブ最適化部１０３ｃで実行される処理を示すフローチャートである。図５に示す処理は、使用者によって色モード選択メニューで単色の色調が選択された場合に起動するプログラムとして実行される。
【００３１】
ステップＳ１０において、色調決定部１０３ｂは、単色の色調として上述した「セピア」、「クール」、「その他」のいずれが選択されたかを判断する。「セピア」が選択されたと判断した場合にはステップＳ２０へ進み、図３（ａ）で上述したセピア詳細設定画面をモニタ１０５に表示してステップＳ５０へ進む。
【００３２】
また「クール」が選択されたと判断した場合にはステップＳ３０へ進み、図３（ｂ）で上述したクール詳細設定画面をモニタ１０５に表示してステップＳ５０へ進む。一方「その他」が選択されたと判断した場合にはステップＳ４０へ進み、図３（ｃ）で上述したその他詳細設定画面をモニタ１０５に表示してステップＳ５０へ進む。
【００３３】
ステップＳ５０では、色調決定部１０３ｂは、使用者によって上述したように入力スイッチ１０１に含まれる方向指定スイッチ、例えば十字キーが操作され、色調設定画面上で単色の色調が設定されたか否かを判断する。設定されたと判断した場合には、ステップＳ６０へ進む。
【００３４】
ステップＳ６０では、γカーブ最適化部１０３ｃは、色調設定画面上で使用者によって指定された点の位置座標に基づいて、使用者によって指定された色を特定し、上述した式（１）〜（３）により各色成分にかける最適化されたγカーブを算出する。その後、ステップＳ７０へ進み、算出したγカーブを画像処理回路１０３ａへ出力し、処理を終了する。
【００３５】
以上説明した第１の実施の形態によれば、以下のような作用効果を得ることができる。
（１）使用者によって、画像の色モードとして単色の色調が選択された場合には、その色調を使用者の好みで設定できるようにした。これによって、画像を単色の色調で撮像する場合に、その色調を使用者が自由に設定することができ、使用者の利便性を向上することができる。
【００３６】
（２）使用者によって単色の色調としてセピア、クール、その他のいずれかが選択された場合には、図３に示すような色相と彩度との組み合わせにより色調を設定するための色調設定画面をモニタ１０５に表示して、使用者は当該色調設定画面上で好みの色調を設定するようにした。これによって、使用者は、設定内容をモニタ１０５で確認しながら単色の色調を視覚的に設定することができ、設定時点において色調のイメージを把握することができる。
【００３７】
（３）単色の色調は、画像撮影前に使用者があらかじめ設定するようにした。これによって、画像撮像前に一旦設定を行ってしまえば、その後はその設定内容に基づいて、撮像画像を画像処理することができ、画像撮影ごとに設定する場合と比較して、使用者の手間を省くことができる。
【００３８】
−第２の実施の形態−
上述した第１の実施の形態では、画像処理回路１０３ａに入力される処理対象の画像データはＲＧＢ表色系で示されるＲＧＢ画像データである例について説明した。これに対して、第２の実施の形態では、画像処理回路１０３ａに入力される処理対象の画像データがＹＣｂＣｒ表色系の画像データ（ＹＣｂＣｒ画像データ）である場合について説明する。すなわち、撮像素子１０２で撮像したデータは、すでに前処理が完了しＹＣｂＣｒ画像データに変換された後に画像処理回路１０３ａに入力される場合の処理について説明する。なお、ここでは、ＹＣｂＣｒ画像データとして例えばＪＰＥＧ画像データを処理対象とするものとする。
【００３９】
そして、第１の実施の形態と同様に、使用者によって画像撮影前にあらかじめ変換する単色の色調が設定されており、撮像した画像が設定された色調となるように画像処理を行う。なお、図１に示したカメラブロック図、図３に示した色調設定画面の具体例を示す図、および図４に示した指定点の位置座標を特定して色を特定する具体例を示す図については、第１の実施の形態と同様のため説明を省略する。
【００４０】
図６は、第２の実施の形態における画像処理回路１０３ａによる画像処理フローを示す図である。なお、ここでは使用者によって設定された色モードがフルカラーやモノクロである場合の処理については、公知の手法により処理可能であるため、使用者によって設定された色モードがセピア、クール、またはその他の単色の色調である場合の処理について説明する。
【００４１】
上述したように、本実施の形態では画像処理回路１０３ａに入力される画像データはＹＣｂＣｒ形式の画像データ、例えばＪＰＥＧ形式の画像データである。ＭＴＸ６ａは、使用者によって設定された色モードが単色の色調である場合には、このＹＣｂＣｒ形式の画像データにマトリックスをかけてＹＹＹ形式の画像データに変換する。すなわち、単色の色調の画像データを生成するためには、色差成分は必要ないため、色差成分であるＣｂ成分およびＣｒ成分を輝度成分であるＹ成分に変換して、ＹＹＹ形式の画像データに変換する。
【００４２】
ＬＵＴ６ｂでは、ＹＹＹ形式に変換後の画像データに対して、後述するγカーブ最適化部１０３ｃによって作成されるＬＵＴ（Ｌｏｏｋ  Ｕｐ  Ｔａｂｌｅ）を通して、ＬＵＴ処理を行う。そして、ＪＰＥＧ圧縮６ｃにおいて、ＬＵＴを通した後のＹＹＹ形式の画像データを公知の手法にてＪＰＥＧ形式の画像ファイルに圧縮して、メモリカードスロット１０４へ出力する。また同時に、モニタ１０５にも画像データの出力を行う。
【００４３】
色調決定部１０３ｂは、第１の実施の形態と同様に、モニタ１０５に使用者によって指定された色調に応じた図３（ａ）〜図３（ｃ）に示すいずれかのる色調設定画面を表示して、使用者に好みの色調の設定を促す。そして、γカーブ最適化部１０３ｃは、以下に説明するように、色調設定画面上で指定された指定点の位置座標に基づいて単調の色調を特定し、特定した単色の色調に基づいてγカーブを最適化して、上述したＬＵＴ６ｂで使用されるＬＵＴを作成する。
【００４４】
γカーブ最適化部１０３ｃはまず、色調設定画面上で指定された指定点の位置座標に基づいて、使用者によって指定された色のＣｂおよびＣｒを特定する。そして、特定したＣｂの値をａ、Ｃｒの値をｂとし、次式（７）〜（１０）により色差成分ＣｂおよびＣｒにかけるγ、すなわちγＣｂおよびγＣｒを算出する。なお、次式（７）および（８）においてγ０は、第１の実施の形態と同様に基本γを表す。また、ＫＣｂおよびＫＣｒは、各色成分にかけるγを設定するための係数であり、あらかじめ設定されたアルゴリズムに基づく関数ｆＣｂおよびｆＣｒを使用して、それぞれ次式（９）および（１０）によって算出される。
【００４５】
γＣｂ＝γ０×ＫＣｂ  ・・・（７）
γＣｒ＝γ０×ＫＣｒ  ・・・（８）
ＫＣｂ＝ｆＣｂ（ａ，ｂ）  ・・・（９）
ＫＣｒ＝ｆＣｒ（ａ，ｂ）  ・・・（１０）
【００４６】
また、輝度成分Ｙには、上述した基本γ０をかければよいため、輝度成分ＹにかけるγＹは次式（１１）によって算出される。
γＹ＝γ０  ・・・（１１）
【００４７】
γカーブ最適化部１０３ｃは、上述した式（７）〜（１１）により算出されるγＹ、γＣｂ、およびγＣｒを記憶したＬＵＴを作成して、制御装置１０３が有するメモリに格納する。画像処理回路１０３ａは、ＬＵＴ６ｂにおいて、メモリに格納されたＬＵＴを使用してＬＵＴ処理を行う。これによって使用者によって設定された色調の画像を生成することができる。
【００４８】
図７は、第２の実施の形態における色調決定部１０３ｂ、およびγカーブ最適化部１０３ｃで実行される処理を示すフローチャートである。図７に示す処理は、使用者によって上述した色モード選択メニューで単色の色調が選択された場合に起動するプログラムとして実行される。なお、この図７においては、第１の実施の形態で上述した図５と同一の処理については同じステップ番号を付与し、相違点を中心に説明する。
【００４９】
ステップＳ６１において、γカーブ最適化部１０３ｃは、上述した式（７）〜（１１）により算出されるγＹ、γＣｂ、およびγＣｒを記憶したＬＵＴを作成する。その後、ステップＳ６２へ進み、作成したＬＵＴを制御装置１０３が有するメモリに格納して、処理を終了する。
【００５０】
以上説明した第２の実施の形態によれば、第１の実施の形態における作用効果に加えて以下のような効果を得ることができる。すなわち、ＹＣｂＣｒ画像データを処理の対象として、使用者によって画像撮影前に設定された単色の色調に基づいて画像処理を行うようにした。これによって、撮像素子１０２で撮像したデータが、すでに前処理が完了してＹＣｂＣｒ画像データに変換されている場合であっても、単色の色調を使用者の設定に基づいて調整することができ、処理の自由度を向上することができる。
【００５１】
−第３の実施の形態−
第３の実施の形態では、カメラ１００は、撮像素子１０２で撮像した画像を通常のデジタルカメラと同様にＹＣｂＣｒ表色系で表される所定の画像形式、例えばＪＰＥＧ形式に圧縮し、メモリスロット１０４に挿入されたメモリカード内に記憶する。そして、使用者は、その記憶された画像の中から任意の画像を選択し、選択した画像を単色の色調に変換する場合について説明する。このとき、上述した第１および第２の実施の形態と同様に、使用者は色調設定画面上で好みの色調を設定することができる。
【００５２】
すなわち、図６に示したフロー図において、画像処理回路１０３ａに入力されるＹＣｂＣｒ画像は、メモリカードに記憶されている既に撮像され種々の画像処理が施された後の画像データである。そして、画像処理回路１０３ａは、メモリカード内から使用者によって選択された画像に対応するＹＣｂＣｒ形式の画像データを読み込んで、ＭＴＸ６ａ、ＬＵＴ６ｂ、ＪＰＥＧ圧縮６ｃにおける各処理を行う。
【００５３】
また、使用者は、処理対象の画像を選択すると同時に、第１および第２の実施の形態と同様に、選択した画像の単色の色調をセピア、クール、その他の中から選び、上述した図３（ａ）〜図３（ｂ）に示す色調設定画面を使用して好みの色調を指定する。その指定結果に基づいて、色調決定部１０３ｂは、第１および第２の実施の形態と同様に使用者によって指定された色調を決定する。
【００５４】
γカーブ最適化部１０３ｃは、第２の実施の形態で上述したように、式（７）〜（１１）により算出されるγＹ、γＣｂ、およびγＣｒを記憶したＬＵＴを作成して、制御装置１０３が有するメモリに格納する。
【００５５】
なお、図１に示してカメラブロック図、図３に示した色調設定画面の具体例を示す図、および図４に示した指定点の位置座標を特定して色を特定する具体例を示す図については、第１の実施の形態と同様のため説明を省略する。また、図７に示した色調決定部１０３ｂ、およびγカーブ最適化部１０３ｃで実行される処理を示すフローチャート図は、第２の実施の形態と同様のため説明を省略する。
【００５６】
以上説明した第３の実施の形態によれば、第１の実施の形態における作用効果に加えて以下のような効果を得ることができる。すなわち、画像撮像後の画像を単色の色調に変換することができるため、使用者は画像撮像後に変換したい画像のみを選択して処理することができ、使用者の利便性がさらに向上する。
【００５７】
―変形例―
なお、上述した実施の形態のカメラは、以下のように変形することもできる。
（１）上述した第１〜第３の実施の形態では、色調決定部１０３ｂは、図３（ａ）〜図３（ｂ）に示した色調設定画面をモニタ１０５に表示して、使用者に色相と彩度との組み合わせによって好みの色調を設定させる例について説明した。しかしこれに限定されず、色相のみ、または彩度のみを設定させるような色調設定画面を表示して、使用者に好みの色調として色相、または彩度のいずれかのみを選択させるようにしてもよい。この場合、例えば色相を選択させる場合には、彩度はカメラ１００のデフォルト値を用い、色相のみ使用者による設定に基づいて決定すればよい。また、彩度を選択させる場合には、色相はカメラ１００のデフォルト値を用い、彩度のみ使用者による設定に基づいて決定すればよい。
【００５８】
（２）上述した第１〜第３の実施の形態では、使用者によって単色の色調として「その他」が選択された場合には、図３（ｃ）に示すようにその他詳細設定画面に全ての単色の色範囲の色度図を表示し、このその他詳細設定画面上で使用者に好みの色調を設定させる例について説明した。しかしこれに限定されず、全ての単色の色範囲の色度図を表示しておき、使用者がその中から一点を指定した場合には、その点を中心とする所定範囲の色度図を拡大してモニタ１０５に表示するようにしてもよい。これによって、使用者は拡大された色度図上で色調を選択することができるようになり、より詳細な色調の設定が可能になる。
【００５９】
（３）上述した第１〜３の実施の形態では、モニタ１０５に表示した色調設定画面で使用者が設定した単色の色調に基づいて、画像を画像処理して記憶する例について説明した。しかしこれに限定されず、モニタ１０５に色調設定画面と撮像画像とを並べて表示し、色調設定画面での設定内容を撮像画像に即時に反映して表示するようにしてもよい。これによって、使用者は、設定した色調が実際の画像にどのように反映されるかを確認しながら好みの色調を設定することができ、使用者は好みの色調を正確に選択することが可能となる。
【００６０】
（４）上述した第３の実施の形態では、撮像後の画像に対する画像処理をカメラ１００で行う例について説明したが、これに限定されず、画像処理回路１０３ａ、色調決定部１０３ｂ、およびγカーブ最適化部１０３ｃを備える他の情報機器、例えばパーソナルコンピュータ（パソコン）で画像処理してもよい。
【００６１】
（５）上述した第１〜第３の実施の形態では、撮像した画像をメモリスロット１０４に挿入されたメモリカードへ記憶し、このメモリカードから読み込まれた画像データに対して単色色調の変換処理を施す例について説明した。しかしながら、他のカメラで撮像された画像データを取り込んで、上述した単色色調の変換処理を施すようにしてもよい。
【００６２】
なお、本発明の特徴的な機能を損なわない限り、本発明は、上述した実施の形態における構成に何ら限定されない。
【図面の簡単な説明】
【００６３】
【図１】第１の実施の形態におけるカメラの一実施の形態の構成を示すブロック図である。
【図２】第１の実施の形態における画像処理回路１０３ａによる画像処理フローを示す図である。
【図３】色調設定画面の具体例を示す図である。
【図４】セピア詳細設定画面上でセピアの色調が指定された場合に、その指定点の位置座標を特定して使用者によって指定された色を特定する場合の具体例を示す図である。
【図５】第１の実施の形態における色調決定部１０３ｂ、およびγカーブ最適化部１０３ｃで実行される処理を示すフローチャート図である。
【図６】第２の実施の形態における画像処理回路１０３ａによる画像処理フローを示す図である。
【図７】第２の実施の形態における色調決定部１０３ｂ、およびγカーブ最適化部１０３ｃで実行される処理を示すフローチャート図である。
【符号の説明】
【００６４】
１００  カメラ、１０１  入力スイッチ、１０２  撮像素子、１０３  制御装置、１０３ａ  画像処理回路、１０３ｂ  色調決定部、１０３ｃ  γカーブ最適化部、１０４  メモリカードスロット、１０５  モニタ
【図１】
2007251746.tif 000003
【図２】
2007251746.tif 000004
【図３】
2007251746.tif 000005
【図４】
2007251746.tif 000006
【図５】
2007251746.tif 000007
【図６】
2007251746.tif 000008
【図７】
2007251746.tif 000009